(57)【要約】【課題】  負荷に制御可能な上限値より大きい電圧が入力されることを防止することができる負荷の駆動制御装置およびこれを備えた給湯装置を提供する。【解決手段】  回転部を含む負荷の駆動制御装置であって、回転部の回転数を制御する制御信号に基づいて、所定の電源電圧を分圧した分圧電圧から負荷に印加する信号電圧を生成する信号電圧生成部と、分圧電圧が印加され、当該分圧電圧が第１電圧値より大きくなるのを抑制する電圧抑制部と、電圧抑制部が分圧電圧を抑制している状態において、信号電圧を第１電圧値より低い第２電圧値に低下させる信号遮断部と、を備えている。【選択図】  図１
2017011348.tif 000002
【特許請求の範囲】
【請求項１】
回転部を含む負荷の駆動制御装置であって、
前記回転部の回転数を制御する制御信号に基づいて、所定の電源電圧を分圧した分圧電圧から前記負荷に印加する信号電圧を生成する信号電圧生成部と、
前記分圧電圧が印加され、当該分圧電圧が第１電圧値より大きくなるのを抑制する電圧抑制部と、
前記電圧抑制部が前記分圧電圧を抑制している状態において、前記信号電圧を前記第１電圧値より低い第２電圧値に低下させる信号遮断部と、を備えた負荷の駆動制御装置。
【請求項２】
前記電圧抑制部は、順方向が前記分圧電圧の印加方向に対して逆向きとなるように接続されたツェナーダイオードを含み、
前記信号遮断部は、前記ツェナーダイオードに印加される電圧に基づいて前記信号電圧生成部の出力端を前記第２電圧値を生成する電圧源に接続するか否かを切り替えるスイッチング素子を備えた、請求項１に記載の負荷の駆動制御装置。
【請求項３】
前記信号電圧生成部は、前記分圧電圧を生成する複数の分圧抵抗素子と、前記分圧電圧を時間積分して前記信号電圧を生成する積分回路とを備え、
前記スイッチング素子は、一対の主端子が前記積分回路の一対の出力端子に接続され、制御端子が前記ツェナーダイオードに接続された、トランジスタである、請求項２に記載の負荷の駆動制御装置。
【請求項４】
前記制御信号を生成する制御部と、
前記負荷の前記回転部の回転数を検出する回転数検出部と、を備え、
前記制御部は、有意の前記制御信号を出力している場合に、前記回転数検出部で検出された回転数が所定値以下となった場合、前記制御信号をオフする、請求項１から３の何れかに記載の負荷の駆動制御装置。
【請求項５】
前記負荷は、前記制御信号のオン状態またはオフ状態に応じてＰＷＭ制御されるように構成される、請求項１から４の何れかに記載の負荷の駆動制御装置。
【請求項６】
回転部を含む負荷と、
請求項１から５の何れかに記載の負荷の駆動制御装置と、を備え、
前記駆動制御装置により生成される前記信号電圧に基づいて前記負荷の回転部の回転数が制御されるよう構成される、給湯装置。
【発明の詳細な説明】
【技術分野】
【０００１】
本発明は、負荷の駆動制御装置およびそれを備えた給湯装置に関する。
【背景技術】
【０００２】
給湯装置には、燃焼用のファンや湯水循環用のポンプ等の回転部（モータ）を含む負荷が設けられている。このような負荷は、回転部の回転数が、制御部からの制御信号に基づいた信号電圧によって制御（例えばＰＷＭ制御）される（例えば特許文献１等）。
【先行技術文献】
【特許文献】
【０００３】
【特許文献１】特許第３３３９２４５号公報
【発明の概要】
【発明が解決しようとする課題】
【０００４】
負荷の駆動制御装置は、このような負荷を制御部からの制御信号に基づいて制御するために、制御信号に基づいて信号電圧を生成している。信号電圧を生成する回路において異常が生じると、回転部の制御可能な上限値より大きい電圧が回転部に入力されてしまう。このような電圧が回転部に入力されると、回転部の動作が不安定になったり、回転部が故障したりする原因となる。
【０００５】
本発明は、以上のような課題を解決すべくなされたものであり、負荷に制御可能な上限値より大きい電圧が入力されることを防止することができる負荷の駆動制御装置およびこれを備えた給湯装置を提供することを目的とする。
【課題を解決するための手段】
【０００６】
本発明の一態様に係る負荷の駆動制御装置は、回転部を含む負荷の駆動制御装置であって、前記回転部の回転数を制御する制御信号に基づいて、所定の電源電圧を分圧した分圧電圧から前記負荷に印加する信号電圧を生成する信号電圧生成部と、前記分圧電圧が印加され、当該分圧電圧が第１電圧値より大きくなるのを抑制する電圧抑制部と、前記電圧抑制部が前記信号電圧を抑制している状態において、前記信号電圧を前記第１電圧値より低い第２電圧値に低下させる信号遮断部と、を備えている。
【０００７】
上記構成によれば、信号電圧生成部により制御信号に基づいて負荷に入力される信号電圧が生成される。また、電圧抑制部により信号電圧の元になる分圧電圧が第１電圧値より大きくなるのが抑制される。このとき、信号遮断部により信号電圧が第１電圧値より低い第２電圧値に低下する。したがって、信号電圧を生成するための分圧抵抗回路に異常が発生し、分圧電圧が通常の電圧範囲を超えるような場合であっても、当該分圧電圧は第１電圧値より大きくなることが抑制される。さらに、負荷に入力される信号電圧は、第１電圧値より低い第２電圧値に低下するため、負荷に制御可能な上限値より大きい電圧が入力されることを防止することができる。したがって、負荷の回転数が不安定な状態になったり、負荷に過電圧が入力されることにより破損したりすることを防止することができる。
【０００８】
前記電圧抑制部は、順方向が前記分圧電圧の印加方向に対して逆向きとなるように接続されたツェナーダイオードを含み、前記信号遮断部は、前記ツェナーダイオードに印加される電圧に基づいて前記信号電圧生成部の出力端を前記第２電圧値を生成する電圧源に接続するか否かを切り替えるスイッチング素子を備えてもよい。これにより、分圧電圧がツェナーダイオードの降伏電圧より大きくなることが防止される。すなわち、ツェナーダイオードの降伏電圧値が第１電圧値となる。また、ツェナーダイオードに印加される電圧に基づいてスイッチング素子が動作することにより、電圧抑制部による電圧抑制時に信号電圧生成部から出力される信号電圧を第２電圧値に低下させることを簡単な構成で実現することができる。
【０００９】
前記信号電圧生成部は、前記分圧電圧を生成する複数の分圧抵抗素子と、前記分圧電圧を時間積分して前記信号電圧を生成する積分回路とを備え、前記スイッチング素子は、一対の主端子が前記積分回路の一対の出力端子に接続され、制御端子が前記ツェナーダイオードに接続された、トランジスタであってもよい。分圧電圧を時間積分して信号電圧が生成されることにより信号電圧が安定化する。さらに、ツェナーダイオードに印加される電圧に基づいて積分回路の出力端子間が第２電圧値を生成する電圧源に短絡されることにより、信号電圧を生成するための分圧抵抗回路に異常が発生した場合に、信号電圧を第２電圧値に低下させることができる。
【００１０】
前記負荷の駆動制御装置は、前記制御信号を生成する制御部と、前記負荷の前記回転部の回転数を検出する回転数検出部と、を備え、前記制御部は、有意の前記制御信号を出力している場合に、前記回転数検出部で検出された回転数が所定値以下となった場合、前記制御信号をオフするように構成されてもよい。これによれば、信号電圧を生成するための分圧抵抗回路に異常が発生した場合に、信号電圧が第２電圧値に低下するため、制御部から有意の制御信号が出力されているにもかかわらず、負荷の回転部の回転数が低下する。したがって、回転部の回転数を検出することにより、回路異常が発生していると判定することができる。さらに、回路異常が発生していると判定した場合に制御信号をオフすることにより、負荷を安全な状態で停止させることができる。
【００１１】
前記負荷は、前記制御信号のオン状態またはオフ状態に応じてＰＷＭ制御されるように構成されてもよい。
【００１２】
本発明の他の態様に係る給湯装置は、回転部を含む負荷と、上記構成の負荷の駆動制御装置と、を備え、前記駆動制御装置により生成される前記信号電圧に基づいて前記負荷の回転部の回転数が制御されるよう構成される。
【発明の効果】
【００１３】
一態様によれば、負荷に制御可能な上限値より大きい電圧が入力されることを防止することができるという効果を奏する。
【図面の簡単な説明】
【００１４】
【図１】図１は本発明の一実施の形態に係る負荷の駆動制御装置の概略構成を示す回路図である。
【図２】図２は本実施の形態における負荷の駆動制御装置が適用される給湯装置の一例を示す作動原理図である。
【図３】図３は図２に示すコントローラの電源装置の構成例を示すブロック図である。
【図４】図４は本発明の一実施の形態に係る負荷の駆動制御装置の変形例の概略構成を示す回路図である。
【発明を実施するための形態】
【００１５】
以下、本発明の実施の形態を、図面を参照しながら説明する。なお、以下では全ての図を通じて同一又は相当する要素には同一の参照符号を付して、その重複する説明を省略する。
【００１６】
図１は本発明の一実施の形態に係る負荷の駆動制御装置の概略構成を示す回路図である。図１に示すように、本実施の形態における負荷の駆動制御装置１は、制御信号Ｓｃに基づいてモータ等の回転部を含む負荷２の回転数を制御する。駆動制御装置１は、制御信号Ｓｃを生成する制御部３と、制御信号Ｓｃに基づいて負荷２に印加する信号電圧Ｖｓｐを生成する信号電圧生成部４とを備えている。信号電圧生成部４は、制御信号Ｓｃに基づいて所定の電源電圧Ｖｏを分圧した分圧電圧Ｖｄから信号電圧Ｖｓｐを生成する。電源電圧Ｖｏは、第１電圧源５により生成される。
【００１７】
負荷２は、制御信号Ｓｃのオン状態またはオフ状態に応じてＰＷＭ制御されるように構成される。このため、信号電圧生成部４は、制御信号Ｓｃがオン状態の場合に信号電圧Ｖｓｐが高電圧となり、オフ状態の場合に信号電圧Ｖｓｐが低電圧となるように信号電圧Ｖｓｐを生成する。
【００１８】
より具体的には、信号電圧生成部４は、分圧電圧Ｖｄを生成する複数の分圧抵抗素子６，７を備えている。分圧抵抗素子６，７は、第１電圧源５と第１電圧源５より低い所定の第２電圧値（例えばグランド電圧）Ｖｇを生成する第２電圧源８との間に直列接続されている。制御部３から出力される制御信号Ｓｃがオン状態の場合、第１電圧源５から分圧抵抗素子６，７に電流が流れ、分圧抵抗素子６，７によって電源電圧Ｖｏが分圧され分圧電圧Ｖｄが生成される。制御部３から出力される制御信号Ｓｃがオフ状態の場合、第１電圧源５から分圧抵抗素子６，７には電流が流れないため、分圧電圧Ｖｄは、第２電圧源８により生成される第２電圧値Ｖｇとなる。
【００１９】
本実施の形態において、制御部３と負荷２との間は絶縁されている。このため、信号電圧生成部４は負荷２側に設けられ、制御部３とは絶縁されている。駆動制御装置１は、制御信号Ｓｃを信号電圧生成部４に伝達するためのフォトカプラ９を備えている。フォトカプラ９により制御信号Ｓｃに基づいてフォトカプラ９の入力側に印加された電圧に応じて第１電圧源５から分圧抵抗素子６，７に電流が流れるか否かが切り替えられる。
【００２０】
信号電圧生成部４は、分圧電圧Ｖｄを時間積分して信号電圧Ｖｓｐを生成する積分回路１０を備えている。積分回路１０は、複数の分圧抵抗素子６，７間に直列接続された抵抗素子１１およびキャパシタ１２を備え、キャパシタ１２に印加される電圧が信号電圧Ｖｓｐとなるように構成される。これにより、分圧電圧Ｖｄを時間積分して信号電圧Ｖｓｐが生成されることにより信号電圧Ｖｓｐがノイズ等の影響を受け難くなり安定化する。
【００２１】
このようにして、信号電圧生成部４により制御信号Ｓｃに基づいて負荷２に入力される信号電圧Ｖｓｐが生成される。信号電圧生成部４で生成された信号電圧Ｖｓｐが負荷２に入力され、信号電圧Ｖｓｐの時間的変化によりモータ等の回転部の回転数が制御される。負荷２の回転部の回転数は、回転数検出部１３により検出され、検出された回転数に基づく回転数信号Ｓｒが制御部３にフィードバックされる。回転数検出部１３は、例えばロータリエンコーダ等の各種の回転数センサが適用でき、特に限定されない。回転数検出部１３から出力された信号は、帰還側のフォトカプラ１４を介して制御部３に入力される。
【００２２】
駆動制御装置１は、分圧電圧Ｖｄが印加され、当該分圧電圧Ｖｄが第１電圧値Ｖ１より大きくなるのを抑制する電圧抑制部１５と、電圧抑制部１５が分圧電圧Ｖｄを抑制している状態において、信号電圧Ｖｓｐを第１電圧値Ｖ１より低い第２電圧値Ｖｇに低下させる信号遮断部１６と、を備えている。
【００２３】
電圧抑制部１５により信号電圧Ｖｓｐの元になる分圧電圧Ｖｄが第１電圧値Ｖ１より大きくなるのが抑制される。このとき、信号遮断部１６により信号電圧Ｖｓｐが第１電圧値Ｖ１より低い第２電圧値Ｖｇに低下する。第１電圧値Ｖ１は、負荷２の回転部における電圧動作範囲内に設定される。したがって、高電位側の分圧抵抗素子６が開放状態となったり、低電位側の分圧抵抗素子７が短絡状態となったりする等、信号電圧Ｖｓｐを生成するための分圧抵抗回路（分圧抵抗素子６，７近傍の回路）に異常が発生し、分圧電圧Ｖｄが通常の電圧範囲を超えるような場合であっても、当該分圧電圧Ｖｄは第１電圧値Ｖ１より大きくなることが抑制される。さらに、負荷２に入力される信号電圧Ｖｓｐは、第１電圧値Ｖ１より低い第２電圧値Ｖｇに低下するため、負荷２に制御可能な上限値より大きい電圧が入力されることを防止することができる。したがって、負荷２の回転数が不安定な状態になったり、負荷２に過電圧が入力されることにより負荷２が破損したりすることを防止することができる。
【００２４】
第２電圧値Ｖｇは、負荷２の回転部が回転するのに必要な最低電圧値より低い電圧値に設定される。これにより、異常時に負荷２の回転動作を自動的に停止させることができる。
【００２５】
さらに、制御部３は、有意の制御信号Ｓｃを出力している場合に、回転数検出部１３で検出された回転数が所定値以下となった場合、制御信号Ｓｃをオフするように構成される。これによれば、信号電圧Ｖｓｐを生成するための分圧抵抗回路（分圧抵抗素子６，７近傍の回路）に異常が発生した場合に、信号電圧Ｖｓｐが第２電圧値Ｖｇに低下するため、制御部３から有意の制御信号Ｓｃが出力されているにもかかわらず、負荷２の回転部の回転数が低下する。したがって、制御部３は、回転数検出部１３から制御部３へフィードバックされる回転数信号Ｓｒの変化により回路異常が発生していると判定することができる。さらに、回路異常が発生していると判定した場合に制御信号Ｓｃをオフすることにより、負荷２を安全な状態で停止させることができる。
【００２６】
本実施の形態において、電圧抑制部１５は、順方向が分圧電圧Ｖｄの印加方向に対して逆向きとなるように接続されたツェナーダイオード１７を含む。また、信号遮断部１６は、ツェナーダイオード１７に印加される電圧に基づいて信号電圧生成部４の出力端を第２電圧値Ｖｇを生成する電圧源（第２電圧源）８に接続するか否かを切り替えるスイッチング素子１８を備えている。スイッチング素子１８は、一対の主端子が積分回路１０の一対の出力端子に接続され、制御端子がツェナーダイオード１７に接続された、トランジスタとして構成される。本実施の形態において、スイッチング素子１８は、ｎチャンネルのＦＥＴ（電界効果トランジスタ）である（以下、ＦＥＴ１８とも表記する）。
【００２７】
ＦＥＴ１８の一対の主端子は、キャパシタ１２の両端部に接続される。より具体的には、ＦＥＴ１８における一方の主端子であるドレイン端子Ｄが抵抗素子１１とキャパシタ１２との間（キャパシタ１２の一端部）に接続され、他方の主端子であるソース端子Ｓが第２電圧源８とキャパシタ１２との間（キャパシタ１２の他端部）と接続され、制御端子であるゲート端子Ｇが抵抗素子１９を介してツェナーダイオード１７のアノード端子に接続される。ツェナーダイオード１７のアノード端子とＦＥＴ１８のソース端子Ｓ（第２電圧源８）との間には抵抗素子２０が設けられる。抵抗素子１９，２０は、電圧抑制部１５が分圧電圧Ｖｄを抑制している状態において、ツェナーダイオード１７に印加される第１電圧値Ｖ１からＦＥＴ１８のゲート電圧を生成するための分圧抵抗素子として機能する。また、抵抗素子１９はＦＥＴ１８のゲート端子に流れる電流を制限する（小さくする）機能も有する。
【００２８】
以上の構成により、分圧抵抗素子６，７間における分圧電圧Ｖｄがツェナーダイオード１７の降伏電圧より大きくなることが防止される。すなわち、ツェナーダイオード１７の降伏電圧値が第１電圧値Ｖ１となる。また、ツェナーダイオード１７に印加される電圧に基づいてスイッチング素子１８が動作することにより、電圧抑制部１５による電圧抑制時に信号電圧生成部４から出力される信号電圧Ｖｓｐを第２電圧値Ｖｇに低下させることを簡単な構成で実現することができる。さらに、ツェナーダイオード１７に印加される電圧に基づいて積分回路１０の出力端子間が第２電圧値Ｖｇを生成する第２電圧源８に短絡される。これにより、信号電圧Ｖｓｐを生成するための分圧抵抗回路に異常が発生した場合に、信号電圧Ｖｓｐを第２電圧値Ｖｇに低下させることができる。
【００２９】
以下、上記負荷の駆動制御装置１が適用される給湯装置の例を示す。図２は本実施の形態における負荷の駆動制御装置１が適用される給湯装置の一例を示す作動原理図である。図２に示す給湯装置２０１は、給湯機能と風呂の追い焚き機能とを備えた多機能型の給湯装置である。給湯装置２０１は、燃料ガスを燃焼する燃焼装置２０２と、燃焼装置２０２へ燃料ガスを供給する燃料ガス供給路２２１と、燃焼装置２０２に空気を供給する送風機２２２と、給湯流路２０３と、追い焚き流路２０４と、追い焚き流路２０４に設けられた風呂ポンプ２４１と、コントローラ２０５とを備えている。さらに、給湯装置２０１は、燃焼装置２０２で生じた潜熱を回収するためのドレン回収機構２０７を備えている。
【００３０】
燃焼装置２０２にはバーナ部２２４が設けられており、このバーナ部２２４に燃料ガス供給路２２１から燃料ガスが供給される。燃料ガス供給路２２１には、燃料ガスの供給と遮断とを切り替える元ガス電磁弁２２５と、燃料ガスの供給量を調整するためのガス比例弁２２６とが設けられている。また、バーナ部２２４には、風呂ガス電磁弁２３０、複数の給湯能力切替ガス電磁弁２２８、および給湯ガス電磁弁２２９が設けられている。    
【００３１】
給湯流路２０３は、水道等から送給された水を給水入口２３１から後述する給湯側熱交換部２３３へ送る往路部２３２と、水を燃焼装置２０２で生成された燃焼ガスと熱交換させて加熱する給湯側熱交換部２３３と、湯を給湯側熱交換部２３３から給湯出口２３４へ送る復路部２３５とを形成する配管から構成されている。復路部２３５には、給湯の水量と温度とを調整するために、給湯水量を調整する給湯水量調整弁２３６と、水と湯との混合比率を調整する混合弁２３７が設けられている。
【００３２】
追い焚き流路２０４は、風呂水を戻り口２４２から後述する追い焚き側熱交換部２４４へ送る戻り部２４３と、風呂水を燃焼装置２０２で生成された燃焼ガスと熱交換させて加熱する追い焚き側熱交換部２４４と、加熱された風呂水を追い焚き側熱交換部２４４から往き口２４５へ送る往き部２４６とを形成する配管から構成されている。風呂ポンプ２４１は、追い焚き流路２０４のうち戻り部２４３に設けられている。
【００３３】
ドレン回収機構２０７は、給湯側熱交換部２３３および追い焚き側熱交換部２４４で生じた排ガス中の水蒸気が凝集した凝集水が流れるドレン排水路２５０と、凝集水を中和するための中和器２４７と、中和された凝集水を一時貯留するドレンタンク２４８と、ドレンタンク２４８に貯留された凝集水をドレン排出口２５１から外部へ排出するためのドレンポンプ２４９とを備えている。
【００３４】
送風機２２２、風呂ポンプ２４１およびドレンポンプ２４９は、駆動部としてＤＣモータ（回転部）を備えている。すなわち、これらが本実施の形態における負荷の駆動制御装置１で制御し得る回転部を含む負荷２である。風呂ポンプ２４１およびドレンポンプ２４９は、配管に液体を圧送させるためのポンプとして構成され、ＤＣ１４１Ｖを含む所定の動作許容電圧範囲を有している。
【００３５】
コントローラ２０５は、制御装置２０８およびスイッチング電源装置２０６（以下、単に「電源装置２０６」と表すことがある）を含んでいる。制御装置２０８は、ＣＰＵ、ＲＯＭ、およびＲＡＭ等で構成されたマイクロコントローラや集積回路を備えている。制御装置２０８には、送風機２２２、風呂ポンプ２４１およびドレンポンプ２４９をはじめとする各電装品等との間に、各電装品等を制御する信号経路（図示略）が設けられている。すなわち、制御装置２０８は、図１に示す駆動制御装置１における制御部３に相当し、信号経路上に、信号電圧生成部４、電圧抑制部１５、信号遮断部１６等が形成される。コントローラ２０５は、制御装置２０８に記憶された制御プログラムに従って給湯装置２０１の各種制御を実行する。制御プログラムには、各電装品の運転に関する各種プログラムが含まれており、これらのプログラムに基づいて各電装品の制御が行われる。    
【００３６】
コントローラ２０５には、図示されない外部電源から電力が供給され、電源装置２０６によって、この給湯装置２０１で用いられる電源（例えば送風機２２２や各ポンプを駆動するＤＣ１４１Ｖ電源、送風機２２２や各ポンプを制御するための信号電圧Ｖｓｐを生成したり、その他の機器を駆動したりするためのＤＣ１５Ｖ電源等）が生成される。電源装置２０６により必要に応じた電圧に変換されて、制御装置２０８や、燃焼装置２０２、送風機２２２、風呂ポンプ２４１、ドレンポンプ２４９、各種電磁弁、各種センサ等の各電装品へ供給される。
【００３７】
図３は図２に示すコントローラ２０５の電源装置２０６の構成例を示すブロック図である。図３に示すように、電源装置２０６は、整流平滑部２６１、ＤＣ−ＤＣコンバータ部２６２および出力部２６３を機能部として有している。
【００３８】
整流平滑部２６１は、外部電源から入力される交流電力を整流する整流部と、整流された直流電力に含まれる変動成分を平滑化する平滑部とを備えたコンデンサインプット型の整流平滑回路として構成される。整流平滑部２６１で整流平滑後の電力は、風呂ポンプ２４１およびドレンポンプ２４９の駆動用回路へ供給される。コントローラ２０５は、電源装置２０６の電源制御部として機能する。
【００３９】
ＤＣ−ＤＣコンバータ部２６２では、整流平滑部２６１で整流・平滑された直流電力が、別の電圧の直流電力に変換されて、出力部２６３へ出力される。ＤＣ−ＤＣコンバータ部２６２の作用により、出力部２６３へ出力される直流電力は所定電圧（例えば、１５Ｖ）に維持される。出力部２６３から出力される電力は、送風機２２２の駆動用回路、制御装置２０８等へ供給される。給湯装置２０１において、ＤＣ−ＤＣコンバータ部２６２は、制御装置２０８等の操作部（図示せず）と接続される回路要素に電力を与える絶縁型の変圧部を備えている。この場合、ＤＣ−ＤＣコンバータ部２６２の回路要素としてトランスが用いられ、操作部（図示せず）との絶縁性が確保される。さらに、ＤＣ−ＤＣコンバータ部２６２は、送風機２２２の駆動用回路等に電力を与える非絶縁型の変圧部を備え得る。
【００４０】
以上説明したような給湯装置２０１において、送風機２２２、風呂ポンプ２４１、ドレンポンプ２４９の回転数を制御するために、本実施の形態における負荷の駆動制御装置１が適用可能である。これにより、回転部を有する負荷２に制御可能な上限値より大きい電圧が入力されることを防止することができる。本実施の形態における負荷の駆動制御装置１が適用される給湯装置は、上記給湯装置２０１に限られない。例えば、給湯装置２０１の給湯機能および風呂の追い焚き機能に加えて温水暖房機能を備えた多機能型の給湯装置であってもよい。温水暖房経路に設けられる暖房ポンプを、回転部を含む負荷２として本実施の形態における負荷の駆動制御装置１により制御することができる。また、給湯装置２０１においてドレンポンプ２４９を用いない構成としてもよい。
【００４１】
以上、本発明の実施の形態について説明したが、本発明は上記実施の形態に限定されるものではなく、その趣旨を逸脱しない範囲内で種々の改良、変更、修正が可能である。
【００４２】
例えば、図４は本発明の一実施の形態に係る負荷の駆動制御装置の変形例の概略構成を示す回路図である。図４において図１の構成と同様の構成については同じ符号を付し、説明を省略する。図４の変形例において、図１の構成と異なる点は、図４に示す駆動制御装置１Ｂは、電圧抑制部１５として機能するツェナーダイオード１７Ｂが第２電圧源８に接続されていることである。さらに、ゲート電圧を生成するための分圧抵抗素子１９，２０Ｂが分圧電圧Ｖｄを生成する分圧抵抗素子６，７間とＦＥＴ１８のゲート端子Ｇとの間に設けられる。このような構成であっても、図１に示す構成と同様の効果を奏することができる。
【００４３】
また、上記実施の形態においては、スイッチング素子１８としてＦＥＴを用いた例について説明したが、これに限られない。例えばスイッチング素子１８としてバイポーラトランジスタを用いてもよい。
【産業上の利用可能性】
【００４４】
本発明に係る負荷の駆動制御装置および給湯装置は、負荷に制御可能な上限値より大きい電圧が入力されることを防止するために有用である。
【符号の説明】
【００４５】
１，１Ｂ  駆動制御装置
２  負荷
３  制御部
４  信号電圧生成部
５  第１電圧源
６，７  分圧抵抗素子
８  第２電圧源
１０  積分回路
１１  抵抗素子
１２  キャパシタ
１３  回転数検出部
１５  電圧抑制部
１６  信号遮断部
１７，１７Ｂ  ツェナーダイオード
１８  スイッチング素子（ＦＥＴ）
２０１  給湯装置
２０８  制御装置（制御部）
２２２  送風機（負荷）
２４１  風呂ポンプ（負荷）
２４９  ドレンポンプ（負荷）
【図１】
2017011348.tif 000003
【図２】
2017011348.tif 000004
【図３】
2017011348.tif 000005
【図４】
2017011348.tif 000006